(57)【要約】  【課題】特別な支持部材を付設することなく、接続端子ピンの損傷を防止すると共に、回路基板上の回路スペースを広く確保できるようにする。  【解決手段】ケーシング２のカード挿入方向奥端部に接続端子ピン１２を設け、該ケーシング２は、回路基板９に取り付けられる樹脂製ハウジング１０と、該ハウジング１０に被着されたメタルプレート１１とから形成する。又、前記接続端子ピン１２のカード接触側露出面部１２ｃは、メタルプレート１１の平面と同一の平面にて前記メモリーカード３と面接触できるように配置する。又、該露出面部の基端部は、前記ハウジング１０と一体形成した樹脂製支持部８により安定支持する。【選択図】  図１
2006107839.tif 000002
【特許請求の範囲】
【請求項１】
ケーシングのカード挿入方向奥端部に接続端子ピンが設けられ、且つ、該ケーシングが、回路基板に取り付けられる樹脂製ハウジングと、該ハウジングに被着されたメタルプレートとから成るメモリーカード用コネクタに於いて、前記接続端子ピンのカード接触側露出面部が前記メタルプレートの平面と略同一の平面内にて前記メモリーカードの端子部と接触可能に配置されていると共に、該露出面部の基端部が、前記ハウジングと一体的に形成された樹脂製支持部により固定支持されていることを特徴とするメモリーカード用コネクタ。
【請求項２】
上記メタルプレートは、その幅方向中央部に開口部を有し、該開口部内に上記接続端子ピンの露出面部が配設されていることを特徴とする請求項１記載のメモリーカード用コネクタ。
【請求項３】
上記接続端子ピンの回路部接触側突出片部の基端部が断面Ｌ形に形成されていると共に、該断面Ｌ形基端部が上記ハウジングに樹脂モールドにより一体に形成されていることを特徴とする請求項１又は２記載のメモリーカード用コネクタ。
【請求項４】
上記メタルプレートに、上記接続端子ピンの露出面部の上記ケーシング外側への変位移動を阻止するための位置決め用ストッパ部が設けられていることを特徴とする請求項１，２又は３記載のメモリーカード用コネクタ。
【発明の詳細な説明】
【技術分野】
【０００１】
本発明はメモリーカード用コネクタに関するものであり、特に、該コネクタのケーシングにメモリーカードが裏返しして挿入されるリバース機構を備えたメモリーカード用コネクタに関するものである。
【背景技術】
【０００２】
従来、此種メモリーカード用コネクタにあっては、該コネクタのケーシングは、回路基板に取り付けられる断面コ字形の樹脂製ハウジングと、該ハウジングに被着されたメタルプレートとから構成されている。又、ケーシングのカード挿入方向奥方側端部には接続端子ピンが設けられ、接続端子ピンの両端部には、カード接触側露出面部と回路部接触側突出片部が形成されている。そして、ケーシングにメモリーカードを所定のロック位置まで挿入することで、メモリーカードの端子部が接続端子ピンの露出面部と接触して、端子部と回路部が互いに電気的に導通状態するように構成されている（特許文献１）。
【特許文献１】特開２００４−１２７７３１号公報
【発明の開示】
【発明が解決しようとする課題】
【０００３】
特許文献１記載の発明は、メタルプレート側に配置される接続端子ピンのカード接触側露出面部が、構造上支持が不安定であるため、カード挿入領域側に変位移動することがあり、この場合は、カード挿入時に、メモリーカードが接続端子ピンの露出面部とぶつかって、接続端子ピンを損傷させるという不具合がある。この不具合を解消させるためには、接続端子ピンの露出面部の支持力を高めるべく、支持部材を特別に設けることが考えられるが、この場合は構成が複雑になりコスト高を招く。
【０００４】
又、接続端子ピンのカード接触側露出面部の支持安定性を高めるべく、ハウジングのメタルプレートを回路基板に直接取り付けるように構成したメモリーカード用コネクタが提案されている。しかし、メタルプレートを回路基板を取り付けると、メタルプレートが回路基板の回路部と直接接触して短絡を起こす恐れがある。このため、回路基板上において回路部の配置スペースを縮小せざるを得なくなる。これを解消するために、メタルプレートと回路部の間にスタンド（足）を付設することがあるが、この場合は厚み方向に寸法ロスが生じる。
【０００５】
そこで、支持部材を特別に設けることなく、接続端子ピンの損傷を防止すると共に、回路基板上の回路スペースを広く確保できるようにするために解決すべき技術的課題が生じてくるのであり、本発明は該課題を解決することを目的とする。
【課題を解決するための手段】
【０００６】
本発明は上記目的を達成するために提案されたものであり、請求項１記載の発明は、ケーシングのカード挿入方向奥端部に接続端子ピンが設けられ、且つ、該ケーシングが、回路基板に取り付けられる樹脂製ハウジングと、該ハウジングに被着されたメタルプレートとから成るメモリーカード用コネクタに於いて、前記接続端子ピンのカード接触側露出面部が前記メタルプレートの平面と略同一の平面内にて前記メモリーカードの端子部と接触可能に配置されていると共に、該露出面部の基端部が、前記ハウジングと一体的に形成された樹脂製支持部により固定支持されているメモリーカード用コネクタを提供する。
【０００７】
この構成によれば、前記端子部をメタルプレート側に配置させて前記メモリーカードを前記ケーシング内に挿入すると、前記メモリーカードの端子部が前記接続端子ピンのカー
ド接触側露出面部と接触して導通する。この場合、該露出面部の基端部が、前記ハウジングと一体的に形成された樹脂製支持部により固定支持されているので、該露出面部は、前記メタルプレートの平面と略同一の平面内にて安定して保持される。斯くして、前記露出面部の先端部がメモリーカードと干渉する領域に変位移動する恐れがない。
【０００８】
請求項２記載の発明は、上記メタルプレートは、その幅方向中央部に開口部を有し、該開口部内に上記接続端子ピンの露出面部が配設されている請求項１記載のメモリーカード用コネクタを提供する。
【０００９】
この構成によれば、前記メタルプレートの幅方向中央部の開口部に前記接続端子ピンの露出面部が配設されているので、該開口部の広さに応じて露出面部の配置スペースも広く確保される。
【００１０】
請求項３記載の発明は、上記接続端子ピンの回路部接触側突出片部の基端部が断面Ｌ形に形成されていると共に、該断面Ｌ形基端部が上記ハウジングに樹脂モールドにより一体に形成されているメモリーカード用コネクタを提供する。
【００１１】
この構成によれば、前記接続端子ピンの回路部接触側突出片部の断面Ｌ形基端部が樹脂モールドによりハウジングに形成されているので、前記突出片部の基端部がハウジングの樹脂成型と同時に形成される。
【００１２】
請求項４記載の発明は、上記メタルプレートに、上記接続端子ピンの露出面部の上記ケーシング外側への変位移動を阻止するための位置決め用ストッパ部が設けられている請求項１，２又は３記載のメモリーカード用コネクタを提供する。          
【００１３】
この構成によれば、前記メモリーカードの挿抜動作時に、該メモリーカードの端子部によってカード接触側露出面部がケーシング外側へ押されて変位移動又は撓み変形しようとした場合、これを前記ストッパ部が阻止して、前記露出面部を常に正規の位置に固定保持する。
【発明の効果】
【００１４】
請求項１記載の発明は、メモリーカードの露出面部の先端部がメモリーカードと干渉する領域に変位移動する恐れがないので、カード挿入時に、メモリーカードの端子部が接続端子ピンの露出面部の先端部に当たって、接続端子ピンを損傷させることを防止できる。この場合、接続端子ピンの露出面部の支持力を大きくするための支持部材を別途設ける必要がない。
【００１５】
又、前記ケーシングのメタルプレートは回路基板に直接接触しないので、メタルプレートが回路基板の回路パターン部と接触して短絡する恐れが無くなる。よって、回路基板上において回路パターン部の面積を広く確保することができる。この場合、メタルプレートの厚み方向において寸法ロスは生ぜず、コネクタ全体として薄型化を図れる格別の効果がある。
【００１６】
請求項２記載の発明は、該開口部の広さに応じて露出面部の配置スペースを広くできるので、請求項１記載の効果に加えて、露出面部の組付けが容易になると共に、露出面部の長さ、本数などの設計の自由度が高まる。特に、複数の露出面部同士の間隔を大きくできるので、該露出面部の支持安定性が向上すること相まって、複数の露出面部同士の相互接触による短絡を一層確実に防止できる。
【００１７】
請求項３記載の発明は、前記接続端子ピンの突出片部の基端部を前記ハウジングの樹脂
成型と同時に形成できるので、請求項１又は２記載の効果に加えて、ハウジングに対する突出片部の固定・組付け作業を容易に行える。又、前記ハウジングに対する突出片部の組付け強度ないし支持安定性が向上し、振動などによる突出片部のがたつき等を不具合を解消できる。
【００１８】
請求項４記載の発明は、カード挿抜動作時に、前記露出面部がケーシングの外方へ変位移動することがなく、正規の位置に固定保持されるので、請求項１，２又は３記載の効果に加えて、前記メモリーカードの端子部と接続端子ピンの露出面部との接触状態が常に安定化して、両者の導通状態が良好に維持される。
【発明を実施するための最良の形態】
【００１９】
本発明は、ケーシングのカード挿入方向奥端部に接続端子ピンが設けられ、且つ、該ケーシングが、回路基板に取り付けられる樹脂製ハウジングと、該ハウジングに被着されたメタルプレートとから成るメモリーカード用コネクタに於いて、前記接続端子ピンのカード接触側露出面部が前記メタルプレートの平面と略同一の平面内にて前記メモリーカードの端子部と接触可能に配置されていると共に、該露出面部の基端部が、前記ハウジングと一体的に形成された樹脂製支持部により固定支持されていることにより、接続端子ピン用の支持部材を特別に設けることなく、接続端子ピンの損傷を防止すると共に、回路基板上の回路スペースを広く確保できるという目的を達成した。
【実施例】
【００２０】
以下、本発明の一実施の形態を図１乃至図９に従って説明する。図１において、１はリバースタイプのメモリーカード用コネクタで、コネクタ１のケーシング２の前面部には、メモリーカード３を挿抜するための開口部４が形成されている。前記メモリーカード３は、デジタルカメラや携帯電話等の情報機器に使用されるミニＳＤカード、ｘＤピクチャーカード等である。
【００２１】
前記メモリーカード３の幅方向の一側端面には凹部５が形成され、メモリーカード３の幅方向他側端面には切欠凹部６が形成されている。又、メモリーカード３の挿入方向Ｓ奥側部分には、複数の端子部７が互いに平行に延びて形成されている。
【００２２】
前記ケーシング２は、回路基板９の回路パターン部側の表面に取り付けられる断面凹形の樹脂製ハウジング１０と、該ハウジング１０に被着されるメタルプレ−ト１１とから形成されている。又、ハウジング１０のカード挿入方向Ｓ奥端面部分は断面コ字形に形成され、該コ字形端面部分には、複数の接続端子ピン１２が互いに平行に取り付けられている。
【００２３】
前記接続端子ピン１２は、図１に示すように、ハウジング１０の奥側端部に固定された中間部１２ａと、中間部１２ａの基板側端部に連接された断面Ｌ形の突出片部１２ｂと、中間部１２ａのプレ−ト側端部に連接された露出面部１２ｃとから構成されている。又、前記接続端子ピン１２の露出面部１２ｃは、前記メタルプレート１１の端子部と同一の面内に位置している。更に、接続端子ピン１２の回路接触側突出片部１２ｂの基端部は、断面Ｌ形に形成されていると共に、該断面Ｌ形基端部は、樹脂モールドによりハウジング１０と一体に形成されている。
【００２４】
より詳しくは、メタルプレート１１の幅方向中央部には、図３に示すように、平面視コ字型の開口部１１ａが形成され、該開口凹部１１ａ内に接続端子ピン１２の露出面部１２ｃが配設されている。この露出面部１２ｃは、前記メモリーカード３と接触可能に臨んで配置されているが、露出面部１２ｃのカード排出方向Ｒ側端部は、カード挿入領域側に突き出ないように、メタルプレート１１の板状平面と同一平面内に没入するように設けられ
ている。又、該露出面部１２ｃの基端部は樹脂製支持部８により支持され、支持部８は前記ハウジング１０と一体に形成されている。
【００２５】
前記メモリーカード３がロック位置まで前進移動したとき、メモリーカード３の端子部７は、前記露出面部１２ｃと接触して導通する。又、メタルプレート１１の開口部１１ａに於ける露出面部１２ｃと対応する端縁部には、複数の位置決め用ストッパ部１４が設けられ、該ストッパ部１４は、露出面部１２ｃのケーシング２外側への変位移動を阻止して位置固定する。
【００２６】
前記メタルプレ−ト１１の側部には、図２に示すように、メモリーカード３の切欠凹部６と係合する係合突部１３が設けられている。この係合突部１３は、メモリーカード３がハーフロック位置に移動したとき、メモリーカード３の切欠凹部６に係合し、カード取出し時にメモリーカード３の飛び出しを防止する。
【００２７】
又、ハウジング１０内壁に於ける係合突部１３と対応する箇所には、係合突部１３の背面に当接する樹脂製の押さえリブ１６が一体に設けられている。押さえリブ１６は、メモリーカード３が挿抜移動する際、係合突部１３が外方へ移動することを規制する。カード取出し時に、係合突部１３がメモリーカード３の切欠凹部６に係合することにより、メモリーカード３が飛び出すことを防止する。
【００２８】
前記ハウジング１０の底面部には公知のハートカム機構が設けられ、該ハートカム機構は、スライダ１７の摺動部がスライドするガイド溝部等を有する。又、前記スライダ１７は、戻しバネ１５によりカード排出方向Ｒへ常に付勢されている。
【００２９】
前記スライダ１７の一端部には、ハーフロックバネ１８の基端部が取り付けられている。該ハーフロックバネ１８は、スライダ１７に固定された板バネ部１９と、該板バネ部１９の先端側に連接された係合凸部２０とを備える。又、ハーフロックバネ１８の係合凸部２０は、メモリーカード３がハーフロック位置まで挿入されたとき、メモリーカード３の凹部５に係合する。
【００３０】
前記ハウジング１０のハーフロックバネ１８と臨む側の内壁部には、カード飛び出し防止用の傾斜リブ２２が設けられている。傾斜リブ２２の内側壁面は、カード挿入方向Ｓにいくに伴い、ハーフロックバネ１８と離反する側へ漸次傾斜している。該傾斜リブ２２は、カード取出し時に、板バネ部１９に当接して押圧することにより、板バネ部１９のバネ力を強める。
【００３１】
又、前記ハウジング１０の内側壁面の奥方箇所には、カード抜け止め用バネ押さえリブ２４が設けられている。バネ押さえリブ２４は、カードロック時に、板バネ部１９背面に当接して押圧することにより、板バネ部１９のバネ力を強める。
【００３２】
前記バネ押さえリブ２４と傾斜リブ２２とは、樹脂モールドにより互いに一体に形成されている。この場合、バネ押さえリブ２４、傾斜リブ２２はそれぞれ上下段差面を有する箇所の上段部、下段部に設けることができる。又、前記ハーフロックバネ１８の板バネ部１９先端部には、バネ押さえリブ２４及び傾斜リブ２２の表面に沿って摺動するガイド部を設けることができる。
【００３３】
上記構成に於いて、図５に示すように、メモリーカード３をケーシング１０の開口部４内に挿入して、ハーフロック位置まで移動させると、メモリーカード３の凹部５にハーフロックバネ１８の係合凸部２０に進入係合し、メモリーカード３がハーフロック状態に軽く保持される（図６）。
【００３４】
このあと、メモリーカード３を前方に押し込めれば、スライダ１７が前方へスライドし、カード挿入方向最前端まで一旦達する（図７）。その後、スライダ１７が若干後退して、図示しないカム係止部にガイドピンが係合してスライダ１７が停止する。このとき、ハーフロック状態のメモリーカード３は、読み書き可能な状態にロックされる（図８）。
【００３５】
ロック状態のメモリーカード３をハウジング１０から取り出す場合は、ロック解除を行うべく、メモリーカード３を更に前方に押圧すれば良い（図９）。すると、スライダ１７が一旦前進してロック解除される。
【００３６】
而して、メモリーカード３の押圧を解除すると、戻しバネ１５の付勢力によって、スライダ１７が後方へ押し戻される。スライダ１７がハーフロック位置まで後退移動すると、メモリーカード３が再びハーフロック状態に保持される（図６）。
【００３７】
更に、ハーフロック状態のメモリーカード３を手前に引っ張ると、ハーフロックバネ１８の係合凸部２０がメモリーカード３の凹部５から離脱して、メモリーカード３がケーシング１０の開口部４から引き抜かれる。
【００３８】
上記構成では、接続端子ピン１２の露出面部１２ｃの基端部が、前記ハウジング１０と一体に形成された樹脂製支持部８により支持されているので、露出面部１２ｃは、前記メタルプレート１１の平面と同一の平面側にて安定して保持配置される。従って、露出面部１２ｃの先端部は、メモリーカード３と干渉可能な領域側に変位移動する恐れがない。
【００３９】
又、メモリーカード３の露出面部１２ｃの先端部は、メモリーカード３と干渉する領域に変位移動することがないので、カード挿入時、従来のように、メモリーカード３の端子部７が接続端子ピン１２の露出面部１２ｃの先端部に当たって、接続端子ピン１２を損傷させることを防止できる。
【００４０】
更に、コネクタ１の取付け使用時において、前記ケーシング２のメタルプレート１１は、回路基板９に直接接触しないので、メタルプレート１１が回路基板９の回路パターン部と接触して短絡することを防止できる。このため、回路基板９上において回路パターン部の面積を、従来に比べて広く確保できる。
【００４１】
本実施例によれば、前記メタルプレート１１の幅方向中央部の開口部１１ａに接続端子ピン１２の露出面部１２ｃを配設したことにより、該開口部１１ａの広さに応じて露出面部１２ｃの配置スペースを拡大しうる。
【００４２】
よって、露出面部１２ｃの組付けが容易になるのみならず、該露出面部１２ｃの長さ、本数などの設計の自由度が高まる。特に、複数の露出面部１２ｃ間の間隔を大きくできるので、隣接する露出面部１２ｃ同士の接触による短絡を防止できる。
【００４３】
又、前記接続端子ピン１２の突出片部１２ｂの断面Ｌ形基端部を樹脂モールドによりハウジング１０に一体に形成したので、突出片部１２ｂの基端部をハウジング１０の樹脂成型と同時に形成できる。従って、ハウジング１０に対する突出片部１２ｂの固定・組付け作業が容易になる。加えて、該突出片部１２ｂの組付け強度ないし支持安定性が向上し、突出片部１２ｂにがたつき等の不具合が発生することを抑止しうる。
【００４４】
更に、カード挿抜動作時に、メモリーカード３の端子部７によって露出面部１２ｃがケーシング２外側へ押されて、変位移動又は撓み変形しようとした場合、これを位置決め用ストッパ部が阻止するため、露出面部１２ｃは常に正規位置に固定保持される。従って、
メモリーカード３の端子部７と露出面部１２ｃとの面接触状態が安定化して、両者の導通状態が常時良好に維持される。
【００４５】
尚、本発明は、本発明の精神を逸脱しない限り種々の改変を為すことができ、そして、本発明が該改変されたものに及ぶことは当然である。
【図面の簡単な説明】
【００４６】
【図１】本発明の一実施の形態を示し、回路基板に固定されたメモリーカード用コネクタの斜視図。
【図２】一実施の形態に係るコネクタにメモリーカードがハーフロックされた状態を示す一部断面図。
【図３】一実施の形態に係るメモリーカードのメタルプレ−トを示す斜視図。
【図４】一実施の形態に係るメモリーカード用コネクタのカード押し込み最大時を示す状態説明図。
【図５】一実施の形態に係るカード挿入前のメモリーカード用コネクタを示す状態説明図。
【図６】一実施の形態に係るハーフロック状態のメモリーカード用コネクタを示す状態説明図。
【図７】一実施の形態に係るカード押し込み最大時のメモリーカード用コネクタを示す状態説明図。
【図８】一実施の形態に係るカードロック状態のメモリーカード用コネクタを示す状態説明図。
【図９】一実施の形態に係るカード再度押し込み時のメモリーカード用コネクタを示す状態説明図。
【符号の説明】
【００４７】
１      コネクタ
２      ケーシング
３      メモリーカード
４      開口部
５      凹部
６      切欠凹部
７      端子部
８      支持部
９      回路基板
１０    ハウジング
１１    メタルプレ−ト（シールドプレ−ト）
１２    接続端子ピン
１２ａ  中間部
１２ｂ  回路接触側突出片部
１２ｃ  カード接触側露出面部
１３    係合突部
１４    位置決め用ストッパ部
１５    戻しバネ
１６    押さえリブ
１７    スライダ
１８    ハーフロックバネ
１９    板バネ部
２０    係合凸部
２２    傾斜リブ
２４    バネ押さえリブ
【図１】
2006107839.tif 000003
【図２】
2006107839.tif 000004
【図３】
2006107839.tif 000005
【図４】
2006107839.tif 000006
【図５】
2006107839.tif 000007
【図６】
2006107839.tif 000008
【図７】
2006107839.tif 000009
【図８】
2006107839.tif 000010
【図９】
2006107839.tif 000011